(57)【要約】【課題】シャワー用の循環配管内部の残水を、浴槽の水を排水する際に生じる負圧を利用して積極的、且つ十分に抜く。【解決手段】浴槽２の湯水が循環する循環配管６と、循環した浴槽２の湯水を使用者に噴出するノズル７とを備えたシャワー装置１において、接続配管３１で排水部１７と循環配管６とを接続し、浴槽２の排水部１７に接続配管３１を開口し、ここに閉塞蓋３３を設け、浴槽２の湯水を、排水部１７の排水口１８から排水する際に生じる負圧及び接続配管３１内の水圧により、閉塞蓋３３を開いて循環配管、ポンプ等の内部の残水を接続配管３１から排水部１７へ排水する。【選択図】　　　図２
2004121504.tif 000002
【特許請求の範囲】
【請求項１】
浴槽の湯水を排水する排水口を有する排水部と、浴槽の湯水が循環する循環配管と、循環した浴槽の湯水を使用者に噴出する噴出部とを備えたシャワー装置において、前記排水部と前記循環配管を接続する接続配管を備ええたことを特徴とするシャワー装置。
【請求項２】
請求項１記載のシャワー装置において、前記接続配管と前記排水部との接続口を閉塞する閉塞蓋を備えたことを特徴とするシャワー装置。
【請求項３】
請求項２記載のシャワー装置において、前記排水部は前記排水口を閉塞する排水蓋を備え、前記排水蓋が閉塞された状態では、前記閉塞蓋も閉塞するように、前記排水蓋と前記閉塞蓋が接触可能であることを特徴とするシャワー装置。
【請求項４】
請求項３記載のシャワー装置において、前記排水蓋が開口して浴槽の湯水を排水するときに、前記閉塞蓋も開口して前記循環配管内の湯水が排水されるように形成されていることを特徴とするシャワー装置。
【請求項５】
請求項３又は４記載のシャワー装置において、前記排水蓋と前記閉塞蓋の接触する位置の位置ずれを防止する嵌合部を備えたことを特徴とするシャワー装置。
【請求項６】
請求項１〜５のいずれかに記載のシャワー装置において、前記循環配管に上水を流入する上水配管を備えたことを特徴とするシャワー装置。
【発明の詳細な説明】
【０００１】
【発明の属する技術分野】
この発明は、浴槽の湯水をポンプで循環配管を通して送流し、シャワー用の湯水として利用するシャワー装置に関し、特に、入浴後等に浴槽の湯水を排水する際に、シャワー用の循環配管内の残水を排出することのできる排水部を備えたシャワー装置に関する。
【０００２】
【従来の技術】
従来、浴槽の湯水をポンプでシャワー用の給水管を通して給水し、半身浴シャワーや肩当て用シャワーの湯水として利用するシャワー装置は知られている。このようなシャワー装置において、使用後、シャワー用の給水管内に水が残っている（残水がある）と、次のような問題がある。
（１）次に使用する際に使用者に残水の冷たさによる不愉快感を与える。
（２）浴槽内の湯水をシャワー用に循環して使用するから、残水を長い間、管内に放置すると、上水用の配管に較べて雑菌が繁殖しやすく、衛生上から好ましくない。
（３）寒冷地では、残水が凍結して配管の破裂や通水不能等の原因となる。
【０００３】
このような問題を解決する技術として、浴槽の水を循環ポンプで、シャワー給水管を通して、肩当て用ノズルに給水して入浴者の肩に向けてシャワー水として噴射する肩当て用シャワー装置において、循環ポンプの回転数により浴槽内の水の有無を検知し、浴槽内の水がないのを検知したときに肩用開閉弁を開きシャワー給水管の水も抜き、配管内に水を残さないようにする発明は公知である（特許文献１参照。）。
【０００４】
さらに、図７（ａ）、（ｂ）は、二つの従来例を示し、半身浴用のシャワー装置である。図７（ａ）のシャワー装置５０では、シャワー使用開始の際の冷水の不愉快感をなくすために、シャワー用の湯水を送る循環配管５２に、三方弁５３を介して、浴槽２に連通する湯戻し管５４が接続されている。この三方弁５３を制御装置５５で制御して切り替え、ポンプ５１を運転することで、循環配管５２内の残水を湯戻し管５４を通して浴槽２に戻すものである。
【０００５】
図７（ｂ）に示すシャワー装置５６は、ポンプ５１に連通し、シャワー用の湯水を送る循環配管５２の最下部に三方弁５７を設けている。シャワーを使用するためにポンプ５１の運転を開始する直前又は浴槽２から湯水を排水部５８を通して排水する際に、制御装置５５で三方弁５７を制御して、循環配管５２と排水路５９を連通し、循環配管５２内の水を抜く構成を示すものである。
【０００６】
【特許文献１】
特開平７−１７８１３９（段落００１０、図３参照。）
【０００７】
【発明が解決しようとする課題】
しかしながら、上記特許文献１及び図７（ｂ）に示す従来例は、シャワー装置におけるシャワー用の循環配管内の残水を抜くことのできる手段は開示されているが、いずれも残水の自重を利用するもので、積極的に残水を管内から吸い取って排水しようというものではないので、必ずしも残水を十分抜き取ることはできない。
【０００８】
又、図７（ａ）に示す従来例は、シャワー使用開始に際して、冷たい残水を排除するにはよいが、入浴後等に際して浴槽の水を排水する場合、シャワー用の循環配管内の残水を抜く手段としては適していない。
【０００９】
本発明は、浴槽の湯水をポンプで循環させ入浴者の身体に噴射するシャワー装置において、シャワー用の循環配管内の残水があると生じる上記（１）〜（３）の問題点を解決することを目的とし、入浴後等に際して浴槽の水を排水する際に、シャワー用の循環配管内の残水を積極的、且つ十分に抜くことのできる排水部を備えたシャワー装置を実現するものである。
【００１０】
本発明者等は、浴槽の水を排水する際に排水されていく水が生じるエネルギーを、シャワー用の循環配管内の残水の排水に効果的に利用するという斬新な発想を想到するに至った。そして、本発明は、この発想を具現化することを課題とするものである。
【００１１】
さらに、本発明では、入浴後、浴槽の水を排水し、シャワー用の循環配管内の残水を抜く際に、上水を利用して、シャワー用の循環配管内を殺菌し、洗浄する構成を実現することを課題とする。
【００１２】
【課題を解決するための手段】
本発明は上記課題を解決するために、浴槽の湯水を排水する排水口を有する排水部と、浴槽の湯水が循環する循環配管と、循環した浴槽の湯水を使用者に噴出する噴出部とを備えたシャワー装置において、前記排水部と前記循環配管を接続する接続配管を備ええたことを特徴とするシャワー装置を提供する。
【００１３】
前記接続配管と前記排水部との接続口を閉塞する閉塞蓋を備えた構成としてもよい。
【００１４】
前記排水部は前記排水口を閉塞する排水蓋を備え、前記排水蓋が閉塞された状態では、前記閉塞蓋も閉塞するように、前記排水蓋と前記閉塞蓋が接触可能である構成としてもよい。
【００１５】
前記排水蓋が開口して浴槽の湯水を排水するときに、前記閉塞蓋も開口して前記循環配管内の湯水が排水されるように形成されている構成としてもよい。
【００１６】
前記排水蓋と前記閉塞蓋の接触する位置の位置ずれを防止する嵌合部を備えた構成としてもよい。
【００１７】
前記循環配管に上水を流入する上水配管を備えた構成としてもよい。
【００１８】
【発明の実施の形態】
本発明に係るシャワー装置の実施の形態を実施例に基づいて図面を参照して説明する。
【００１９】
（実施例１）
図１〜４は、本発明に係るシャワー装置の実施例１を説明する図である。この実施例１は、本発明に係るシャワー装置を、半身浴用のシャワー装置に適用した例である。図１（ａ）、（ｂ）、及び図２（ａ）は、この実施例１のシャワー装置１を使用者（入浴者）が使用している状態でその全体構成を説明する図である。
【００２０】
図１（ａ）、（ｂ）、及び図２（ａ）において、このシャワー装置１は、浴槽２の後壁部３（図２（ａ）参照。）に設けられた吸い込み口４と、後壁部３の外側に設けられ、浴槽の吸い込み口４に連通し、浴槽２内の湯水を循環させるポンプ５と、ポンプ５に接続された循環配管６と、循環配管６に接続される噴出部（具体的な構成は「ノズル」であり、以下、ノズルとして説明する。）７とを備えている。
【００２１】
循環配管６は、ポンプ５に接続された湯水送出管８と、湯水送出管８に三方弁９を介して接続されており上方に伸びた湯水供給管１０と、この湯水供給管１０の上端で左右に分岐しさらにその左右端で夫々浴槽の長手方向前方に水平に伸びる左右分岐管１１と、この左右分岐管１１よりやや下方において湯水供給管１０から分岐して浴槽の長手方向前方に伸びる中央分岐管１２と、から構成される。
【００２２】
三方弁９には、湯水送出管８、湯水供給管１０及び排水路１３が接続されており、三方弁の選択的開閉動作により、湯水送出管８と湯水供給管１０が連通又は閉じられ、湯水供給管１０と排水路１３とが閉じられる。
【００２３】
ポンプ５の運転動作（開始・停止、強弱の調整）及び三方弁９の開閉動作を制御するために、制御装置１４が設けられている。浴槽２のフランジ部１５に設けた図示しないスイッチ（防水用のフランジスイッチ）、或いはリモコン操作スイッチ等を操作することにより、制御装置１４に操作信号が入力され、制御装置１４の出力信号でポンプ５の運転動作及び三方弁９の選択的な開閉動作を制御できる構成となっている。
【００２４】
ノズル７は、左右分岐管１１の先端に夫々に接続された左右の胸用ノズルと、中央分岐管１２の先端に接続された背中用ノズルである。左右の胸用ノズルは、使用者Ｐの胸に湯水を噴射することができ、背中用ノズル左右の肩、首等に湯水を噴射することができる。
【００２５】
以上のような構成のシャワー装置１において、特に本発明の特徴は次の構成にある。浴槽２の底部１６には、浴槽２の湯水を排水する排水部１７が設けられている。この排水部１７の構成は、図２（ａ）及びその要部拡大図である図２（ｂ）、（ｃ）に示すとともに、排水部１７を構成する細部構成を図３に示す。これらの図に示すように、排水部１７は、浴槽２の排水口１８及びこの排水口１８を閉じたり開いたりする排水蓋１９を有する。
【００２６】
排水部１７は、排水口１８に連通する排水筒２０を有する。この実施例１では、排水筒２０は浴槽２と一体に形成しているが、浴槽２とは別体に形成し、排水口１８に連通するように浴槽２の底部１６に取り付ける構成であってもよい。排水筒２０の先端（下端）は、排水管２１に接続されている。
【００２７】
排水蓋１９は、図２（ｂ）、（ｃ）及び図３（ａ）に示すように、蓋部２２と、この蓋部２２の下面から下方に伸びる杆部２３とから一体に形成されている。蓋部２２は、排水口１８の開閉を行うものであり、杆部２３は、排水蓋１９の排水筒２０内に上下動可能に装入されており、排水口１８を開く時には上方に移動して浴槽２内にその一部が突出する。
【００２８】
杆部２３の下面に排水管２１内を延びる操作ケーブル２４を取付け、図示しない操作機構（例えば、電磁的な駆動装置で、排水管２１からシールを介して外部側方へ取り出した操作ケーブル２４をその軸方向に往復動作させる機構）で操作するものであるが、このような操作機構自体は、本発明の要旨ではないので、ここでは説明は省く。なお、排水蓋１９の操作は、使用者が蓋部２２を摘んで上下動させて開閉する手動式であってもよい。
【００２９】
図３（ａ）に示すように、排水蓋１９の杆部２３の後部側面にはカム面２５が形成されている。このカム面２５は、全体的には、杆部２３の上部から下部に向かって杆部２３の水平断面積が小さくなるようなテーパ面から構成されており、このテーパ面の上部と下部に夫々ならだかな上部凹曲面２６と下部凹曲面２７が形成されている。
【００３０】
排水筒２０の基端（上端）の後方側（図２（ｂ）、（ｃ）中の左側）の側面には、浴槽２の底部１６から連続的に形成された厚肉部２８を有する。この厚肉部２８から後方に突出する接続筒２９が形成されており、この接続筒２９の基端（図２（ｂ）、（ｃ）中の右端）には、排水筒２０に開口する接続口３０が形成されている。接続筒２９の先端には、接続配管３１の一端が接続されており、この接続配管３１の他端は、ポンプ５に接続された湯水送出管８に接続されている。
【００３１】
図３（ｃ）及びそのＡ−Ａ断面図である図３（ｄ）に示すように、排水筒２０の厚肉部２８には、接続筒２９の長手方向かつその頂部に沿って断面Ｔ字型のキー溝（嵌合部）３２が形成されている。このキー溝３２は、接続筒２９の頂部に開口するとともに、接続口３０に開口するように形成されている。
【００３２】
排水筒２０に開口する接続口３０を開閉する閉塞蓋３３が設けられている。この閉塞蓋３３は、図３（ｅ）とそのＢ−Ｂ断面図である図３（ｆ）に示すように、キー３４と、このキー３４の先端に一体又は別体に設けられた蓋部３５とから構成される。キー３４は、その断面がＴ字型に形成されており、図２（ｂ）、（ｃ）及び、図２（ｂ）のＡ−Ａ断面図である図３（ｂ）に示すように、厚肉部２８のキー溝３２内に水平方向に摺動可能に装入されている。
【００３３】
閉塞蓋３３の蓋部３５は、排水蓋１９の杆部２３のカム面２５に当接するように配置されている。図２（ｂ）に示すように、排水蓋１９が排水口１８を閉じている状態では、閉塞蓋３３の蓋部３５は、カム面２５の上部凹曲面２６に当接するように構成されている。
【００３４】
図２（ｃ）に示すように、排水蓋１９が排水口１８を開いている状態では、閉塞蓋３３のキー３４は排水筒２０内に突出し、閉塞蓋３３の蓋部３５は、カム面２５の下部凹曲面２７に当接するように構成されている。この状態では、接続口３０が開いた状態であり、循環配管６内の水が接続配管３１を通して接続口３０から排水筒２０乃至排水管２１に排水される。
【００３５】
（作用）
以上の構成から成る実施例１のシャワー装置１の作用を説明する。使用者Ｐが、図１（ａ）、（ｂ）、図２（ａ）に示すように、浴槽２内に座り、上述したフランジスイッチ又はリモコンスイッチを操作して制御装置１４がポンプ５の動作を制御して、その運転を開始する。
【００３６】
すると、ポンプ５は、浴槽２内の湯水を、吸い込み口４から吸い込み、湯水送出管８、三方弁９を通して、湯水供給管１０に送る。そして、湯水供給管１０から左右分岐管１１及び中央分岐管１２を通して、湯水を左右の胸用ノズル７及び背中用ノズル７に供給する。
【００３７】
そして、左右の胸用ノズル７及び背中用ノズル７から、使用者Ｐの肩、胸、腕、腹、首、背中等の部位に湯水３６が噴出され、浴槽２内に戻る。浴槽２内の湯水３６は、ポンプ５及び循環配管６によって、循環利用される。
【００３８】
このシャワー装置１では、ノズル７から湯水２４を扇状に幅を広げ、且つ薄い膜状で使用者Ｐの肩、胸、腕、腹、首、背中等、上半身の広い範囲に、同時に湯水３６を噴出することができるから、使用者Ｐは十分な温熱感が得られるとともに、冬季でも快適に、しかも全身浴より静水圧が少なく体に負担の少ない状態の半身浴を可能とする。
【００３９】
ところで、シャワー装置１の使用を開始する際に、循環配管６内に残水があると、使用者はその残水を浴び、残水の冷えで不愉快に感じる。これを防止するために、本発明の三方弁９は、次のような作用をする。即ち、シャワー装置１の使用を開始する際に、使用者がフランジスイッチ或いはリモコンスイッチを操作して制御装置１４により、ポンプ５を動作する操作を行う。
【００４０】
すると、ポンプ５による湯水のノズル７への供給動作に先だって、制御装置１４が三方弁９を制御し、湯水供給管１０と排水路１３を連通するように動作し、湯水供給管１０、左右分岐管１１及び中央分岐管１２内に残っている残水を、落下させて排水路１３から排水するようにする。
【００４１】
又、入浴後、浴槽２内の湯水を排水する際にも、制御装置１４で三方弁９を制御し、湯水供給管１０、左右分岐管１１及び中央分岐管１２内に残っている冷水を、落下させて排水路１３から排水するようにしてもよい。
【００４２】
しかしながら、上記のとおり、湯水の自重による排水では、湯水供給管１０、左右分岐管１１及び中央分岐管１２内に残っている残水を、十分排水することはできない。さらに、湯水送出管８内に残っている残水を十分排水する必要がある。そこで、このシャワー装置１によると、排水部１７は、次のような作用を行い、循環配管６内に残っている残水を十分排水することができる。
【００４３】
今、浴槽２内に湯水満たされるように、浴槽２の排水口１８が排水蓋１９によって図２（ｂ）に示すように閉じられており、しかも三方弁９が湯水送出管８と湯水供給管１０を連通するような状態に制御されている場合には、閉塞蓋３３の蓋部３５は、排水蓋１９の杆部２３のカム面２５の上部凹曲面２６に当接しており、閉塞蓋３３は接続口３０を閉じている。この状態では、循環配管６内の残水は、接続配管３１内に流入しているが、接続口３０から排水筒２０内に流れ出ることはない。
【００４４】
入浴後等において、浴槽２の湯水を排水口１８から排水させるために排水蓋１９を図２（ｃ）に示すように自動的又は手動により上昇させると、排水口１８が開き、浴槽２の湯水が排水口１８から排水筒２０を通って排水管２１へ流出する。湯水が排水筒２０を通って流出すると、排水筒２０内に負圧が生じる。さらに、閉塞蓋３３の蓋部３５は、排水蓋１９の杆部２３のカム面２５の上部凹曲面２６との当接が解除され可動状態となる。
【００４５】
すると、閉塞蓋３３の蓋部３５は、排水筒２０内の負圧により排水筒２０内に吸い込まれる力が作用するとともに、循環配管６から接続配管３１内に流入した残水の圧力により排水筒２０方向へ押されて、閉塞蓋３３のキー３４が、キー溝３２内で排水筒２０方向（図２（ｂ）、（ｃ）中の右方）にスムース移動する。そして、最終的に、閉塞蓋３３の蓋部３５は、図２（ｃ）（この図の要部拡大図を左上に示す。）に示すように、カム面２５の下部凹曲面２７と当接した状態となる。
【００４６】
これにより、接続口３０が開いて、循環配管６内の残水は、接続配管３１、接続筒２９を通して排水される。特に、浴槽２内の湯水が排水筒２０を流れ出る際に負圧が生じるので、循環配管６内の残水は、自重に加えて、排水筒２０内の負圧により接続配管３１から排水筒２０内に吸い込まれるような効果が生じ、十分排水される。
【００４７】
浴槽２内の湯水が排出された後に、排水蓋１９を排水筒２０内に押し込むように下降させると、排水蓋１９により排水口１８が閉じられるとともに、閉塞蓋３３は、排水蓋１９の杆部２３のカム面２５により押圧され、キー３４がキー溝３２内を排水筒２０から接続筒２９の方向（図２（ｂ）、（ｃ）中の左方）に移動し、最終的に閉塞蓋３３の蓋部３５は上部凹曲面２６に当接し、閉塞蓋３３は接続口３０を閉じる。
【００４８】
この実施例１では、閉塞蓋３３は、Ｔ字型のキー３４がキー溝３２内に支持され、かつ案内されて水平に摺動するので、閉塞蓋３３は、下方にずれたりすることがないし、その移動もスムースに行われ、移動中のがたつきによるひっかり等が生じることがない。
【００４９】
（実施例１の変形例）
図４（ａ）、（ｃ）は、実施例１の排水部の変形例を示す図であり、図４（ｂ）、（ｄ）は、夫々図４（ａ）、（ｃ）のＡ−Ａ、Ｂ−Ｂ断面図を示す。この変形例の排水部３７は、実施例１と同様に、厚肉部２８及び接続筒２９を有する排水筒２０を有する。
【００５０】
しかし、この変形例では、実施例１のような閉塞蓋３３及びキー溝３２が設けられていない。その代わりに、この変形例の排水部３７は、排水蓋３８の杆部３９にガイド体４１が設けられている。ガイド体４１には、接続口３０を閉塞する閉塞用蓋部４０が設けられている。
【００５１】
ガイド体４１は、図４（ａ）〜（ｄ）に示すように、その外周に沿って複数のガイド部４２と閉塞用蓋部４０を有するとともに、杆部３９の軸方向に伸びる複数の排水溝（凹溝）４２’が形成されている。複数のガイド部４２と閉塞用蓋部４０の外周を包絡する線は、排水筒２０の内面よりやや小さい直径を有する。
【００５２】
要するにガイド体４１は、全体としてスプライン軸の形状をしており、その複数の凸条が、複数のガイド部４２と、一つの閉塞用蓋部４０として機能する。閉塞用蓋部４０は、接続口３０の周縁に当接し、接続口３０を閉塞可能である。
【００５３】
このような構成により、ガイド体４１のガイド部４２と閉塞用蓋部４０は、排水筒２０内を摺接して、杆部３９が排水筒２０内をスムースに摺動するためのガイドとして機能するとともに、その閉塞用蓋部４０が接続口３０の周面に当接して接続口３０を閉じたり、あるいは開いたりする。
【００５４】
このような構成の排水部３７によれば、図４（ａ）に示すように、排水蓋３８が排水口１８を閉じる位置にある時には、ガイド体４１の閉塞用蓋部４０は、接続口３０を閉塞し、循環配管６及び接続配管３１からの残水は排水筒２０に排出されない。
【００５５】
図４（ｃ）に示すように、排水蓋３８が排水口１８を開いている位置にある時には、ガイド体４１の閉塞用蓋部４０は、接続口３０を開いた位置にある。この状態では、循環配管６及び接続配管３１からの残水が接続口３０から排水筒２０内に排出される。この変形例においても、浴槽２の湯水が排水溝４２’内を流れて排水筒２０を通過する際に負圧が生じ、循環配管６及び接続配管３１からの残水が排水筒２０内に吸引されるようにして効果的に排出される。
【００５６】
（実施例２）
図５（ａ）及びその要部拡大図である図５（ｂ）は、本発明に係るシャワー装置の実施例２を説明する図である。この実施例２は、実施例１と同様に本発明に係るシャワー装置を、半身浴用のシャワー装置に適用した例である。この実施例２のシャワー装置４３の構成は、全体的には実施例１とほぼ同様であり、実施例１と同じ構造の排水部１７を設けている。以下、実施例１と異なる実施例２の特徴的な構成を中心に説明する。
【００５７】
実施例２のシャワー装置４３の特徴は、循環配管６の湯水送出管８と接続配管３１とを第１の開閉弁４４を介して接続するとともに、ポンプ５に接続されたポンプ用排水管４５と接続配管３１とを第２の開閉弁４６を介して接続する構成である。これら第１及び第２の開閉弁４４、４６は、夫々図示しない操作ボタンにより操作されて制御装置１４によってその開閉が制御される構成である。ポンプ用排水管４５は、ポンプ５内の残水を排出するものであり、ポンプ５の最下部（ポンプの底部）に接続されている。
【００５８】
以上のような構成による実施例２によると、半身浴用のシャワー装置４３を使用する際は、制御装置１４により第１及び第２の開閉弁４４、４６が制御されて閉じられるので、ポンプ５により送られる湯水は、接続配管３１内に流入しない。従って、シャワー装置４３の使用時には、湯水が接続配管３１から排水筒２０内に流れ出るようなことはない。
【００５９】
そして、入浴後等に浴槽２の湯水を排水部１７から排出する時には、制御装置１４により第１及び第２の開閉弁４４、４６が制御されて開かれ、循環配管６及びポンプ５内の残水がポンプ用排水管４５を通して接続配管３１内に流入する。
【００６０】
そして、実施例１で説明したように（実施例２の排水部１７は実施例１と同じであるから、図２（ｂ）、（ｃ）を参照する。）、浴槽２の湯水が排水部１７の排水筒２０を流れ出る際に排水筒２０内に負圧が生じ、接続口３０の閉塞蓋３３を開き、循環配管６、ポンプ５及び接続配管３１内の残水を排水筒２０内に排出して、排水管２１を通して排水することができる。
【００６１】
（実施例３）
図６（ａ）及びその要部拡大図である図６（ｂ）は、本発明に係るシャワー装置の実施例３を説明する図である。この実施例３は、実施例１と同様に本発明に係るシャワー装置を、半身浴用のシャワー装置に適用した例である。この実施例３のシャワー装置４７の構成は、全体的には実施例１とほぼ同様であり、実施例１と同じ構造の排水部１７を設けている。以下、実施例３について、実施例１と異なる特徴的な構成を中心に説明する。
【００６２】
実施例３のシャワー装置４７の特徴は、循環配管６の湯水供給管１０の途中に上水を供給する上水配管４８が、上水配管用開閉弁４９を介して接続されている構成である。上水配管用開閉弁４９は、夫々図示しない操作ボタンにより操作され、或いは排水蓋１９の開閉動作と連動して、制御装置１４によってその開閉が制御される。入浴後に浴槽２の湯水を排出する時には、上水配管用開閉弁４９が開かれる構成とされている。
【００６３】
さらに、この実施例３のシャワー装置４７では、ポンプ５内の残水を排出するために、実施例２と同様にポンプ５の底部（最下部）にポンプ用排水管４５が接続されている。ポンプ用排水管４５は、直接、接続配管３１に接続されている。
【００６４】
このような構成による実施例３によると、このシャワー装置４７を使用する際には、制御装置１４により上水用開閉弁４９が閉じられており、実施例１と同様のシャワー装置４７の使用時における動作が行われる。
【００６５】
そして、入浴後に浴槽２の湯水を排水部１７から排出する時には、実施例１と同様に（実施例３の排水部１７は実施例１と同じであるから、図２（ｂ）、（ｃ）を参照する。）、排水筒２０を湯水が流れ出る際に排水筒２０内に負圧が生じ、接続口３０の閉塞蓋３３を開き、循環配管６及び接続配管３１から残水を排出する。ポンプ５内の残水もポンプ用排水管４５を通って接続配管３１内に流れ込み、接続口３０から排水筒２０内に排出される。
【００６６】
さらに、制御装置により上水配管用開閉弁４９が制御されて開かれるので、上水が湯水供給管１０に流入し、湯水供給管１０から三方弁９、湯水送出管８及び接続配管３１を通して流れ、排水筒２０から排水管２１へ排出される。又、供給された上水の一部は、湯水供給管１０から左右分岐管１１及び中央分岐管１２を通って、左右の胸用ノズル７及び背中用ノズル７から浴槽２内に噴出され、排水部１７から排出される。
【００６７】
このように実施例３では、入浴後に浴槽２の湯水を排水部１７から排出する時に、排水部１７に生じる負圧を利用して、循環配管６、接続配管３１及びポンプ５等から残水を排出するとともに、上水を循環配管６に供給して、循環配管６内に流して、その内部を積極的に塩素殺菌し、洗浄することができる。
【００６８】
以上、本発明に係るシャワー装置の実施形態を半身浴シャワー装置の実施例１〜３に基づいて説明したが、本発明は特にこのような実施例１〜３に限定されることなく、通常のシャワー装置にも適用することは当然であり、その他、特許請求の範囲記載の技術的事項の範囲内でいろいろな実施例があることはいうまでもない。
【００６９】
【発明の効果】
以上の構成から成る本発明に係るシャワー装置によると次のような効果が生じる。
（１）浴槽の水を排水する際に、流出されていく水が生じるエネルギーを、シャワー用の循環配管、ポンプ等の内部の残水を排水するために効果的に利用することができるから、残水を積極的且つ十分に抜くことができる。
（２）入浴後、浴槽の水を排水し、シャワー用の循環配管内の残水を抜く際に、上水を利用して、シャワー用の循環配管内を殺菌し、洗浄することができ、衛生上の効果も大きい。
（３）シャワー用の循環配管内の残水を十分抜くことができるから、残水による問題点である、衛生上の問題や残水の冷たさによる使用者への不愉快感が解消され、又寒冷地における残水の凍結による配管の破裂事故や通水不能も解消できる。
【図面の簡単な説明】
【図１】本発明に係るシャワー装置の実施例１である半身浴シャワー装置を示し、（ａ）、（ｂ）は使用者が入浴している状態における全体構成を説明する図であり、（ａ）は平面図、（ｂ）は正面図を夫々示し、（ｃ）は、（ａ）のＡ−Ａ断面図であり、循環配管を説明する図である。
【図２】実施例１を説明する図であり、（ａ）は使用者が入浴している状態における全体構成を説明する図であり、（ｂ）、（ｃ）は、（ａ）の要部（排水部）の拡大説明図である。
【図３】（ａ）は排水蓋の側面図であり、（ｂ）は図２（ｂ）のＡ−Ａ断面図であり、（ｃ）は排水筒の拡大図であり、（ｆ）は（ｃ）のＡ−Ａ断面図であり、（ｅ）は閉塞蓋の側面図であり、（ｆ）は（ｅ）のＢ−Ｂ断面図である。
【図４】（ａ）、（ｃ）は排水部の変形例を説明する図であり、（ｂ）は（ａ）のＡ−Ａ断面図であり、（ｄ）は（ｃ）のＢ−Ｂ断面図である。
【図５】本発明に係るシャワー装置の実施例２であるシャワー装置を示し、（ａ）、（ｂ）は使用者が入浴している状態における全体構成を説明する図であり、（ｂ）は（ａ）の要部拡大図を示す図である。
【図６】本発明に係るシャワー装置の実施例３であるシャワー装置を示し、（ａ）、（ｂ）は使用者が入浴している状態における全体構成を説明する図であり、（ｂ）は（ａ）の要部拡大図を示す図である。
【図７】従来例を説明する図であり、（ａ）、（ｂ）は使用者が入浴している状態の全体構成の側面を示す図である。
【符号の説明】
１　シャワー装置
２　浴槽
３　浴槽の後壁部
４　吸い込み口
５、５１　ポンプ
６、５２　循環配管
７　ノズル（噴出部）
８　湯水送出管
９、５３、５７　三方弁
１０　湯水供給管
１１　左右分岐管
１２　中央分岐管
１３、５９　排水路
１４、５５　制御装置
１５　フランジ部
１６　浴槽の底部
１７、５８　排水部
１８　排水口
１９、３８　排水蓋
２０　排水筒
２１　排水管
２２　排水蓋の蓋部
２３、３９　排水蓋の杆部
２４　操作ケーブル
２５　杆部のカム面
２６　カム面の上部凹曲面
２７　カム面の下部凹曲面
２８　厚肉部
２９　接続筒
３０　接続口
３１　接続配管
３２　キー溝
３３　閉塞蓋
３４　キー
３５　閉塞蓋の蓋部
３６　湯水
３７　実施例１の変形例の排水部
４０　閉塞用蓋部
４１　ガイド体
４２　ガイド部
４２’排水溝
４３　実施例２のシャワー装置
４４　第１の開閉弁
４５　ポンプ用排水管
４６　第２開閉弁
４７　実施例３のシャワー装置
４８　上水配管
４９　上水配管用開閉弁
５０、５６　従来例のシャワー装置
５４　湯戻し管
【図１】
2004121504.tif 000003
【図２】
2004121504.tif 000004
【図３】
2004121504.tif 000005
【図４】
2004121504.tif 000006
【図５】
2004121504.tif 000007
【図６】
2004121504.tif 000008
【図７】
2004121504.tif 000009